(57)【特許請求の範囲】
【請求項１】
患者が医療従事者を呼び出すために使用するナースコール子機のコードの先端に設けられたプラグを着脱自在に接続するコンセントと、前記プラグが前記コンセントから外れたり前記コードが断線したりしたことを検出して脱落呼出信号を生成する制御部と、前記制御部による脱落呼出信号の生成の保留およびその保留を解除するために操作される第一の脱落呼出保留操作部と、前記制御部にて生成された脱落呼出信号を出力するインターフェースとを有するウォールユニットと、
時間を計測するタイマーと、前記脱落呼出信号を入力する親機インターフェースと、前記プラグが前記コンセントから外れたり前記コードが断線したりしたことを報知する報知部と、前記親機インターフェースが前記脱落呼出信号を入力した場合に前記報知部を動作させる報知制御部と、前記報知制御部を動作させないようにするために操作される第二の脱落呼出保留操作部と、前記第二の脱落呼出保留操作部が操作された場合に前記タイマーを動作させるとともに前記報知制御部を動作させないようにし、前記タイマーが計測した時間が所定時間となった場合に前記報知制御部を動作させるようにする親機制御部とを有するナースコール親機と、
を備えたナースコールシステム。
【発明の詳細な説明】
【技術分野】
【０００１】
本発明は、病院などで患者からの要求に応じて医療従事者を呼び出すナースコールシステムに関する。
【背景技術】
【０００２】
病院や福祉施設などに設置されるナースコールシステムは、ナースステーションに設置されるナースコール親機と、病室の出入口近傍の廊下側に設置され、ナースコール親機に接続される廊下灯と、病室内の壁面に設置され、廊下灯に接続されるウォールユニットと、ウォールユニットに接続され、患者により使用されるナースコール子機とを備えている。
【０００３】
ウォールユニットは、その表面にコンセントを備えており、このコンセントにナースコール子機のコードの先端に設けられたプラグを取り付けることで、患者がナースコール子機によってナースコール親機に呼び出しを行うことができる。ここで、ナースコール親機は、ナースコール子機からの呼び出しを受けると報知を行う。また、ナースコール子機のプラグは、ウォールユニットのコンセントに対して着脱自在となっている。
【０００４】
このようなナースコール子機としては、握り押しボタンやハンド形子機などがある。ここで、握り押しボタンは、呼出ボタンによって構成される呼出操作部を備えており、単に呼び出し専用であり、通話機能を持たない。また、ハンド形子機は、呼出ボタンによって構成される呼出操作部に加えて、マイクロホンおよびスピーカーを内蔵しており、ハンド形子機自体が通話機能を持っている。
【０００５】
ところで、ナースコールシステムにおいて、ウォールユニットのコンセントからナースコール子機のプラグが脱落したり、ナースコール子機の本体とプラグとの間に設けられたコードが断線したりして、ナースコール子機に異常が生じると、ウォールユニットが脱落呼び出しをかけるようにしている技術が知られている（例えば、特許文献１など）。
【０００６】
特許文献１に記載の技術では、ウォールユニットに設けた脱落保留操作部である復旧ボタンを押下しながらナースコール子機のプラグをウォールユニットのコンセントから取り外すと、ナースコール親機はナースコール子機がコンセントから脱落したことを示す報知を行わないようにしている。これにより、ナースコール子機を使用しない場合などに、報知を行わせずにナースコール子機のプラグをウォールユニットのコンセントから取り外しておくことが可能となる。ここで、ナースコール子機のプラグがウォールユニットのコンセントから取り外されるケースとしては、ナースコール子機を交換する場合や、使用しないナースコール子機を外しておく場合などが考えられる。
【０００７】
また、特許文献１に記載の技術では、ウォールユニットのコンセントにナースコール子機のプラグを接続することで、ウォールユニットが再び脱落呼び出しをかける状態に戻すことが記載されている。これにより、交換したナースコール子機のプラグや再び使用するナースコール子機のプラグをウォールユニットのコンセントに接続するだけで、脱落呼び出しの保留を解除することができる。
【０００８】
ところで、ナースコール子機の本体とプラグとの間に設けられたコードが断線した場合には、そのナースコール子機を修理したり、コードが断線していないナースコール子機に交換したりしない限り、ナースコール親機による報知が止まらない。また、ナースコール子機のプラグが意図せずにウォールユニットのコンセントから外れた場合にも、そのナースコール子機のプラグをウォールユニットのコンセントに再び接続しない限り、ナースコール親機による報知が止まらない。
【０００９】
しかしながら、医療従事者が多忙である場合には、ウォールユニットが設置されている病室に行くことができず、脱落保留操作部を操作して報知を止め、脱落保留操作部が操作されている状態でナースコール子機のプラグをウォールユニットのコンセントから取り外して脱落呼び出しを保留にしたり、ナースコール子機のプラグをウォールユニットのコンセントに再び接続して報知を止めたりすることができないという問題があった。このような問題を解決するために、ナースコール親機に設けた脱落保留ボタンを操作することで、脱落呼び出しを保留にする技術が知られている（例えば、特許文献２など）。
【先行技術文献】
【特許文献】
【００１０】
【特許文献１】特開２００８−４２４５９号公報
【特許文献２】特開２００７−９６５５８号公報
【発明の概要】
【発明が解決しようとする課題】
【００１１】
しかしながら、ナースコール子機の交換や使用しないナースコール子機を取り外すために脱落呼び出しを保留にした特許文献１に記載の技術と異なり、特許文献２に記載の技術では、ナースコール子機のコードが断線したり、ナースコール子機のプラグが意図せずにウォールユニットのコンセントから外れてしまったりしているので、ナースコール親機による報知が止まってしまうと、ナースコール子機のプラグが意図せずにウォールユニットのコンセントから外れていたことや、ナースコール子機のコードが断線していたことを医療従事者が忘れてしまうという問題があった。
【００１２】
本発明は、このような問題を解決するために成されたものであり、ナースコール子機のプラグがウォールユニットのコンセントから外れたり、ナースコール子機のコードが断線したりした際の脱落呼び出しを保留にする際に、医療従事者が意図的にナースコール子機のプラグをウォールユニットのコンセントから取り外した場合と、医療従事者が意図せずにナースコール子機のプラグがウォールユニットのコンセントから外れたり、ナースコール子機のコードが断線したりした場合との脱落呼出の保留を明確に区別して、ナースコール子機のプラグが意図せずにウォールユニットのコンセントから外れていたことや、ナースコール子機のコードが断線していたことを医療従事者が忘れてしまわないようにすることを目的とする。
【課題を解決するための手段】
【００１３】
上述した課題を解決するために、本発明では、ナースコール子機のプラグがウォールユニットのコンセントから外れたり、ナースコール子機のコードが断線したりした場合に、脱落呼び出しによる報知をナースコール親機にて行わせるナースコールシステムにおいて、脱落呼び出しの保留およびその保留を解除するための第一の脱落呼出保留操作部をウォールユニットに設け、脱落呼び出しを保留するための第二の脱落呼出保留操作部をナースコール親機に設けて、第二の脱落呼出保留操作部が操作された場合にのみ、タイマーが計測した時間が所定時間になると脱落呼び出しの保留を解除するようにしている。
【発明の効果】
【００１４】
上記のように構成した本発明によれば、ウォールユニットに設けた第一の脱落呼出保留操作部により脱落呼び出しを保留した場合には、第一の脱落呼出保留操作部により脱落呼び出しの保留が解除されるまで脱落呼び出しが保留されるが、この場合、医療従事者が意図的にナースコール子機のプラグをウォールユニットのコンセントから取り外した第一のケースであると考えられる。一方、ナースコール親機に設けた第二の脱落呼出保留操作部により脱落呼び出しを保留した場合には、タイマーが計測した時間が所定時間となった場合に脱落呼び出しの保留が解除されるが、この場合、医療従事者が意図せずにナースコール子機のプラグがウォールユニットのコンセントから外れたり、ナースコール子機のコードが断線したりした場合に、医療従事者が一時的に脱落呼び出しを保留にした第二のケースであると考えられる。そのため、第一のケースと第二のケースとを明確に区別することができる。また、第二のケースでは、脱落呼び出しが保留されていることを医療従事者が忘れてしまわないようにすることができる。
【図面の簡単な説明】
【００１５】
【図１】本実施形態によるナースコールシステムの構成例を示すブロック図である。
【図２】本実施形態によるナースコールシステムのウォールユニットにナースコール子機を接続した状態を示す図である。
【発明を実施するための形態】
【００１６】
以下、本発明の一実施形態を図面に基づいて説明する。図１は、本実施形態によるナースコールシステムの構成例を示すブロック図である。また、図２は、本実施形態によるナースコールシステムのウォールユニット１とナースコール子機との接続状態を示す図である。図１に示すように、本実施形態によるナースコールシステムは、病室内の各病床の近傍の壁面に設置されるウォールユニット１と、医療従事者が常駐するナースステーションに設置され、ナースコール子機からの呼び出しに応答するためのナースコール親機１０とを備えて構成される。
【００１７】
ここで、図２に示すように、ナースコール子機に設けられたコードの先端にはプラグが設けられており、そのプラグはウォールユニット１に設けられているコンセント３に対して着脱自在（図２（Ａ）、（Ｂ））に取り付けられている。また、ウォールユニット１とナースコール親機１０との間は、有線または無線により接続されている。また、ナースコール子機には、患者が医療従事者を呼び出す際に操作する呼出ボタンが設けられている。図２（Ａ）に示すように、ウォールユニット１のコンセント３にナースコール子機１のプラグが接続されている状態で、ナースコール子機の呼出ボタンが操作されると、ナースコール子機では呼出信号を生成してウォールユニット１へ出力する。この呼出信号には、ナースコール子機を他のナースコール子機と識別するための子機識別情報（例えば、ベッド番号など）が含まれる。
【００１８】
本実施形態によるナースコールシステムは、他の標準的な構成要素として、ウォールユニット１とナースコール親機１０との間に設置され、ナースコール子機により呼び出しが行われたことを表示したり、ナースコール子機のプラグがウォールユニット１のコンセント３から外れたことを表示したり、ナースコール子機のコードが断線したことを表示したり、病室内に居る患者の氏名などを表示したりする図示しない廊下灯を備えている。また、ウォールユニット１とナースコール親機１０との間には、ナースコール子機およびナースコール親機１０間の通話やデータの送受信に関する制御を行う図示しない制御機が接続されている。また、病院内の通信センターに設置される図示しないハンディナースコール主装置、図示しない構内交換機（ＰＢＸ：Private Branch Exchange）、図示しない公衆網、図示しない無線ユニットを備えることにより、医療従事者が携行するＰＨＳ（Personal
Handy-phone System）によって、ナースコール親機１０の代わりにナースコール子機からの呼び出しに応答することができる。
【００１９】
まず、ウォールユニット１について説明する。ウォールユニット１は、制御部２、コンセント３、第一の脱落呼出保留操作部４、インターフェース５を備えて構成されている。制御部２は、ウォールユニット１の各構成要素を後述するように制御するためのものであり、ＣＰＵ（Central Processing Unit）などにより構成されている。コンセント３は、ナースコール子機のコードの先端に設けられたプラグを着脱自在に接続するためのものである。図２（Ｂ）に示すように、ナースコール子機のプラグがウォールユニット１のコンセント３から外れたり、図２（Ａ）に示すように、ナースコール子機のプラグがウォールユニット１のコンセント３に接続されていても、コードが断線したりすると、制御部２は、プラグがコンセント３から外れたり、コードが断線したりしたことを検出し、脱落呼出信号を生成する。ここで、脱落呼出信号には、このウォールユニット１１を他のウォールユニット１と識別するためのウォールユニット識別情報（例えば、ベッド番号など）が含まれる。
【００２０】
第一の脱落呼出保留操作部４は、制御部２による脱落呼出信号の生成を保留したり、その保留を解除したりするために操作される。また、図２に示すように、第一の脱落呼出保留操作部４は、ボタンなどにより構成されている。第一の脱落呼出保留操作部４が操作されると、制御部２は、プラグがコンセント３から外れたり、コードが断線したりしたことを検出しても、脱落呼出信号を生成しなくなる（脱落呼び出しの保留）。また、第一の脱落呼出保留操作部４が再度操作されると、制御部２は、プラグがコンセント３から外れたり、コードが断線したりしたことを検出すると、脱落呼出信号を生成するようになる（脱落呼び出しの保留の解除）。
【００２１】
インターフェース５は、ウォールユニット１とナースコール親機１０とを接続して通信を行うためのものである。ここで、インターフェース５は、制御部２により生成された脱落呼出信号をナースコール親機１０へ出力する。ここで、コンセント３にナースコール子機のプラグが接続されていて、呼出ボタンが操作された場合、インターフェース５は、ナースコール子機から入力した呼出信号をナースコール親機１０へ出力する。
【００２２】
次に、ナースコール親機１０について説明する。ナースコール親機１０は、親機制御部１１、親機インターフェース１２、報知部１３、報知制御部１４、第二の脱落呼出保留操作部１５、タイマー１６を備えて構成されている。親機制御部１１は、ナースコール親機１０の各構成要素を後述するように制御するためのものであり、ＣＰＵなどにより構成されている。親機インターフェース１２は、ナースコール親機１０とウォールユニット１とを接続して通信を行うためのものである。ここで、親機インターフェース１２は、ウォールユニット１から出力された脱落呼出信号を入力する。また、ウォールユニット１のコンセント３にナースコール子機のプラグが接続されていて、呼出ボタンが操作された場合には、親機インターフェース１２は、インターフェース５から出力された呼出信号を入力する。
【００２３】
報知部１３は、ナースコール子機により呼び出しが行われたこと、または、ナースコール子機のプラグがウォールユニット１のコンセント３から外れたり、ナースコール子機のコードが断線したりしたことを報知するためのものであり、スピーカーや表示装置、ランプなどにより構成される。ここで、ナースコール子機により呼出が行われたことを示す報知と、ナースコール子機のプラグがウォールユニット１のコンセント３から外れたり、ナースコール子機のコードが断線したりしたことを示す報知とは、パターンを異ならせることで区別できるようにすることが好ましい。
【００２４】
報知制御部１４は、報知部１３による報知を制御するためのものであり、ＣＰＵなどにより構成されている。ここで、報知制御部１４を構成するＣＰＵと親機制御部１１を構成するＣＰＵとを共通にしても良い。第二の脱落呼出保留操作部１５は、ボタンなどにより構成されており、親機インターフェース１２が脱落呼出信号を入力した場合の報知制御部１４による報知部１３の動作を保留したり、その保留を解除したりするために操作される。タイマー１６は、時間を計測するためのものである。
【００２５】
ここで、第二の脱落呼出保留操作部１５は、報知制御部１４による報知部１３の動作を保留にするウォールユニット１を脱落呼出信号に含まれるウォールユニット識別情報によって特定している。これにより、特定のウォールユニット１からの脱落呼出信号による報知部１３の動作のみを保留にすることができる。
【００２６】
また、第二の脱落呼出保留操作部１５が操作されると、親機制御部１１は、タイマー１６を動作させるとともに、報知制御部１４の動作を停止する。報知制御部１４の動作が停止すると、親機インターフェース１２が脱落呼出信号を入力しても、報知制御部１４は報知部１３を動作させないようになる（脱落呼び出しの保留）。また、この状態で第二の脱落呼出保留操作部１５が再度操作されると、親機制御部１１は、報知制御部１４の動作の停止を解除し、親機インターフェース１２が脱落呼出信号を入力すると、報知制御部１４は報知部１３を動作させるようになる（脱落呼び出しの保留の解除）。
【００２７】
また、脱落呼び出しが保留されている状態で、タイマー１６が計測した時間が所定時間になるまで第二の脱落呼出保留操作部１５が操作されなかった場合、親機制御部１１は、報知制御部１４の動作の停止を解除し、親機インターフェース１２が脱落呼出信号を入力すると、報知制御部１４は報知部１３を動作させるようになる（脱落呼び出しの保留の解除）。また、親機インターフェース１２が呼出信号を入力した場合には、親機制御部１１は報知制御部１４を動作させ、報知制御部１４は報知部１３を動作させて、報知部１３は報知を行う。
【００２８】
このような場合において、親機制御部１１は、呼出信号に含まれる子機識別情報により呼び出しを行ったナースコール子機を特定することができ、脱落呼出信号に含まれるウォールユニット識別情報により脱落したナースコール子機を特定することができる。また、所定時間とは、脱落呼び出しを一時的に保留にしておく時間であり、医療従事者が脱落呼び出しの発生を忘れてしまったのではないかと考えられる時間（例えば、３０分程度）であることが好ましい。
【００２９】
以上詳しく説明したように、本実施形態によれば、ナースコール子機のプラグがウォールユニット１のコンセント３から外れたり、ナースコール子機のコードが断線したりした場合に、脱落呼び出しによる報知をナースコール親機１０の報知部１３にて行わせるナースコールシステムにおいて、脱落呼び出しの保留およびその保留を解除するための第一の脱落呼出保留操作部３をウォールユニット１に設け、脱落呼び出しの保留およびその保留を解除するための第二の脱落呼出保留操作部１５をナースコール親機１０に設けて、第二の脱落呼出保留操作部１５が操作された場合にのみ、タイマー１６が計測した時間が所定時間になると、親機制御部１１が報知制御部１４を制御して、脱落呼び出しの保留を解除するようにしている。
【００３０】
これにより、ウォールユニット１に設けた第一の脱落呼出保留操作部４によって脱落呼び出しを保留した場合には、第一の脱落呼出保留操作部４が再び操作されて脱落呼び出しの保留が解除されるまで、脱落呼び出しが保留されるが、この場合、医療従事者が意図的にナースコール子機のプラグをウォールユニット１のコンセント３から取り外した第一のケースであると考えられる。一方、ナースコール親機１０に設けた第二の脱落呼出保留操作部１５により脱落呼び出しを保留した場合には、タイマー１６が計測した時間が所定時間となった場合に脱落呼び出しの保留が解除されるが、この場合、医療従事者が意図せずにナースコール子機のプラグがウォールユニット１のコンセント３から外れたり、ナースコール子機のコードが断線したりした場合に、医療従事者が一時的に脱落呼び出しを保留にした第二のケースであると考えられる。そのため、第一のケースと第二のケースとを明確に区別することができる。また、第二のケースでは、所定時間経過後に自動的に脱落呼び出しの保留が解除されるので、脱落呼び出しが保留されていることを医療従事者が忘れてしまわないようにすることができる。
【００３１】
なお、本実施形態では、第二の脱落呼出保留操作部１５を再度操作することで脱落呼び出しの保留を解除するようにしているが、これに限定されない。例えば、第二の脱落呼出保留操作部１５は、脱落呼び出しを保留する場合にのみ操作されるようにしても良い。これは、所定時間が経過すると、自動的に脱落呼び出しの保留が解除されるためである。
【００３２】
また、本実施形態では、ナースコール子機は呼出ボタンを備えるようにしているが、これに限定されない。例えば、患者の状態を検出して呼出信号を生成するようなナースコール子機をウォールユニット１のコンセント３に接続するようにしても良い。
【００３３】
また、本実施形態では、第一の脱落呼出保留操作部４を操作して脱落呼び出しを保留にした場合、第一の脱落呼出保留操作部４を再度操作しなければ、脱落呼び出しを解除することができないが、これに限定されない。例えば、第一の脱落呼出保留操作部４が操作されて脱落呼び出しが保留になっている状態で、ウォールユニット１のコンセント３にナースコール子機のプラグが接続されると、制御部２が脱落呼び出しの保留を自動的に解除するようにしても良い。
【００３４】
また、本実施形態では、第一の脱落呼出保留操作部４がウォールユニット１の内部に設けられており、第二の脱落呼出保留操作部１５がナースコール親機１０の内部に設けられているが、これに限定されない。例えば、第一の脱落呼出保留操作部４をウォールユニット１の近傍に独立して設置するようにしても良いし、第二の脱落呼出保留操作部１５をナースコール親機１０の近傍に独立して設置するようにしても良い。
【００３５】
また、本実施形態では、第一の脱落呼出保留操作部４および第二の脱落呼出保留操作部１５がボタンにより構成されているが、これに限定されない。例えば、第一の脱落呼出保留操作部４および第二の脱落呼出保留操作部１５の少なくとも一方が、スライドスイッチなどの他の操作手段により構成されていても良い。
【００３６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３７】
１    ウォールユニット
２    制御部
３    コンセント
４    第一の脱落呼出保留操作部
５    インターフェース
１０    ナースコール親機
１１    親機制御部
１２    親機インターフェース
１３    報知部
１４    報知制御部
１５    第二の脱落呼出保留操作部
１６    タイマー
【図１】
0005751586.tif 000002
【図２】
0005751586.tif 000003